(57)【要約】【目的】本発明は、横葺き用屋根材の縦目地部分の防水機能を向上した縦目地構造に係るものである。【構成】上下端部は雄雌型連結構造にて連結され、水平方向の端部は重合にて形成された屋根材Ａの縦目地構造において、略垂直平面状の化粧片Ｋ１と、水平方向の化粧片Ｋ１の少なくとも一端縁を屋内側に折り返して延長した突出片Ｋ４と、化粧片Ｋ１の下端を屋内側に屈曲した段差片Ｋ５と、段差片Ｋ５の先端を上方に突出した差込片Ｋ６とから形成した縦目地キャップにて、屋根材Ａの縦目地γ部分をカバーすると共に、突出片Ｋ４が屋根材Ａ間の縦目地γに挿入されて形成されている縦目地構造である。【選択図】図１
2013204354.tif 000002
【特許請求の範囲】
【請求項１】
上下端部は雄雌型連結構造にて連結され、水平方向の端部は重合にて形成された屋根材の縦目地構造において、略垂直平面状の化粧片と、該水平方向の化粧片の少なくとも一端縁を屋内側に折り返して延長した突出片と、化粧片の下端を屋内側に屈曲した段差片と、該段差片の先端を上方に突出した差込片とから形成した縦目地キャップにて、屋根材の縦目地部分をカバーすると共に、突出片が屋根材間の縦目地に挿入されて形成されていることを特徴とする縦目地構造。
【発明の詳細な説明】
【技術分野】
【０００１】
本発明は、横葺き用屋根材の縦目地部分の防水機能を向上した縦目地構造に係るものである。
【背景技術】
【０００２】
一般に、金属製板材を加工した縦目地キャップを施工した構造は数多く上市されている。（例えば、特許文献１〜３参照）。
【０００３】
【特許文献１】特開昭６４−０１０８６０号公報
【特許文献２】特開昭６４−０３６８５４号公報
【特許文献３】特開平１−３１５５４５号公報
【発明の開示】
【発明が解決しようとする課題】
【０００４】
特許文献１は横葺き用屋根材の接続部材に係る発明であり、屋根材端部に嵌め込まれた接続部材にカバー材を挿入して固定する構造である。また、特許文献２、３は屋根材の切断端部をカバー材により被覆した屋根材の接続構造である。しかしながら、屋根材施工後にカバー材を被せる構造においては、積雪の多い地方では落雪による衝撃によりカバー材が一緒に外れてしまう危険があった。また、横葺き用屋根材の接続部分である縦目地部分は防水性の最弱点であり、更なる止水化が必要であった。
【課題を解決するための手段】
【０００５】
本発明はこのような欠点を解決するために、上下端部は雄雌型連結構造にて連結され、水平方向の端部は重合にて形成された屋根材の縦目地構造において、略垂直平面状の化粧片と、該水平方向の化粧片の少なくとも一端縁を屋内側に折り返して延長した突出片と、化粧片の下端を屋内側に屈曲した段差片と、該段差片の先端を上方に突出した差込片とから形成した縦目地キャップにて、屋根材の縦目地部分をカバーすると共に、突出片が屋根材間の縦目地に挿入されて形成されている縦目地構造を提供するものである。
【発明の効果】
【０００６】
以上説明したように、本発明に係る縦目地構造によれば、（１）突出片を縦目地部の隙間に挿入することにより、縦目地キャップを縦目地上に固定出来、屋根材の縦目地部分の防水性が向上する。（２）屋根材施工後に形成出来る。（３）屋根材施工後に形成出来るために、部分的に形成出来る。等の特徴、効果がある。
【図面の簡単な説明】
【０００７】
【図１】本発明に係る縦目地構造の施工状態を示す説明図である。
【図２】本発明に係る縦目地構造の施工状態を示す説明図である。
【図３】本発明に係る縦目地構造の施工状態を示す説明図である。
【図４】本発明に係る縦目地構造に使用する縦目地キャップの代表的一例を示す斜視図である。
【図５】本発明に係る縦目地構造に使用する縦目地キャップの代表的一例を示す側面図で
【図６】本発明に係る縦目地構造に使用する縦目地キャップの代表的一例を示す拡大断面図である。
【図７】本発明に係る縦目地構造に使用する屋根材の代表的一例を示す説明図である。
【図８】本発明に係る縦目地構造に使用する屋根材の施工状態を示す説明図である。
【図９】本発明に係る縦目地構造に使用する屋根材の施工状態を示す説明図である。
【図１０】本発明に係る縦目地構造に使用する屋根材を示す説明図である。
【図１１】本発明に係る縦目地構造に使用する屋根材を示す説明図である。
【図１２】本発明に係る縦目地構造に使用する屋根材を示す説明図である。
【図１３】本発明に係る縦目地構造に使用する屋根材を示す説明図である。
【図１４】本発明に係る縦目地構造の施工状態と、屋根材の端部を示す説明図である。
【図１５】本発明に係る縦目地構造に使用する屋根材を示す説明図である。
【図１６】本発明に係る縦目地構造に使用する屋根材の施工順序を示す説明図である。
【図１７】本発明に係る縦目地構造に使用する屋根材の施工順序を示す説明図である。
【図１８】本発明に係る縦目地構造に使用する屋根材の施工状態を示す説明図である。
【図１９】本発明に係る縦目地構造のその他の実施例を示す斜視図である。
【図２０】本発明に係る縦目地構造のその他の実施例を示す説明図である。
【発明を実施するための形態】
【０００８】
以下に図面を用いて本発明に係る縦目地構造について詳細に説明する。図１〜図３は本発明に係る縦目地構造の施工状態を示す説明図、図４は縦目地キャップＫを示す斜視図、図５（ａ）は図４の左側面図、図４（ｂ）は図４に示す縦目地キャップＫの右側面図、図６は図４に示す縦目地キャップＫのａ−ａ部拡大断面図、である。
【０００９】
縦目地キャップＫは図４に示すように、垂直平面状の化粧片Ｋ１と、化粧片Ｋ１の上端縁部分の差込片Ｋ２と、化粧片Ｋ１の両端縁を屋内側に折り返した舌片Ｋ３と、図４の水平方向で右側の舌片Ｋ３をさらに延長した突出片Ｋ４と、化粧片Ｋ１の下端を屋内側に屈曲した段差片Ｋ５と、段差片Ｋ５の先端を上方に突出した差込片Ｋ６と、段差片Ｋ５と差込片Ｋ６とから形成した挿入溝Ｋ７とからなるものである。その素材としては、例えば金属板（カラー鋼板、銅板、アルミニウム板、チタン板、ステンレス板、サンドイッチ鋼板、クラッド鋼板等）等をロール成形、プレス成形、等によって形成したものである。また、主体を金属製とし突出片Ｋ４部分のみをプラスチック材料で形成することも出来る。
【００１０】
図７（ａ）〜（ｃ）は金属製屋根材Ｂと断熱材Ｃ、裏面材Ｄよりなる屋根材Ａの代表的一例を示す説明図、図８、図９は屋根材Ａの施工状態を示す説明図、図１０〜図１３は屋根材Ａの左右端部を示す説明図、図１４（ａ）〜（ｃ）において、（ａ）図は図８のａ−ａ部端面図、（ｂ）図は図８のｂ−ｂ部端面図、（ｃ）図は図１１のｃ−ｃ部端面図である。
【００１１】
また、図１５（ａ）〜（ｃ）において、（ａ）図は図１３のｄ−ｄ部断面図、（ｂ）図は図１３のｅ−ｅ部断面図、（ｃ）図は図１０のｆ−ｆ部断面図である。さらに、図１６（ａ）〜（ｃ）、図１７（ａ）〜（ｃ）は施工順序を示す説明図、図１８は施工状態を示す説明図である。図中、αは下地、βは釘等の固定具、γは縦目地、γ１は横目地、Ｈは家屋、Ｍは窓、Ｙは屋根を示している。
【００１２】
下地αは、新築の際は図７に示すように垂木１、野地板２、防水シート３から構成した木造下地を示したものである。すなわち、垂木１上に野地板２を敷設し、野地板２上に防水シート３（アスファルトフェルト）を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に金属横葺き屋根、金属瓦棒葺き屋根、新生瓦（コロニアル）、瓦屋根、等の既存屋根（図示せず）が形成された既存屋根構造が下地αとなるものである。勿論、防水シート３を形成しない下地αでも良いものである。
【００１３】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１４】
さらに説明すると、金属製屋根材Ｂは長尺板状であり、図７（ａ）〜（ｃ）に示すように、略水平面状の化粧面４と、裏面５と、化粧面４の水下側端部を屋内側に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。
【００１５】
また、図７（ａ）〜（ｃ）に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３としたものである。
【００１６】
さらに、図８、図１０、図１４（ａ）〜（ｃ）に示すように、金属製屋根材Ｂの一端縁には、下端部１４ａを化粧面４の屋外側で内側方に突出すると共に、屋外側へ傾斜して突出した傾斜防水片１５と、傾斜防水片１５に形成した凹部１６と、凹部１６により形成した防水空隙１７と、傾斜防水片１５の先端よりも外方の化粧面４上に、化粧面４中央へ傾斜して屋外側へ突出した凸部１８とから形成した下連結部１４を形成したものである。さらに説明すると、傾斜防水片１５は凹部１６を境にして水平片１５ａと傾斜片１５ｂを形成することにより、凹部１６を中心にして傾斜片１５ｂが金属製屋根材Ｂの裏面５に接触した場合にスムーズに裏面５に沿って変形出来るようにしたものである。
【００１７】
また、金属製屋根材Ｂの他端縁には、図１１、図１３、図１４（ａ）〜（ｃ）に示すように、金属製屋根材Ｂの他端縁の上端部１９ａを外側方にさらに突出した突出片２０と、突出した部分の雌型連結部１３部分を切断した切り欠き２１と、突出片２０の先端を内方に折り返した舌片２２と、突出片２０の先端を屋内側に傾斜して垂下した当接片２０ａと、突出片２０の裏面部分の切り欠き２３と、差込縁７の上端部１９ａ近傍を切り欠いた水抜き孔２４、第２水抜き孔２５と、位置決め片２６と、当接片２０ａより形成される防水空隙２７とから形成した上連結部１９を形成したものである。
【００１８】
下連結部１４は、図８、図９、図１４（ａ）〜（ｃ）に示すように、上連結部１９が連結されることにより、防水機能を発揮する部分である。
【００１９】
傾斜防水片１５は、下端部１４ａを屋外側に折り返して形成すると共に、先端部分を屋外側に傾斜して形成することにより、突出片２０の裏面５にそのスプリングバック機能により当接して防水性を強化すると共に、途中に凹部１６を形成することにより、防水空隙１７を連結部内に形成し、さらに防水性を向上するものである。なお、当接片２０ａの高さをＨ、傾斜防水片１５の高さをｈとすると、Ｈ＜ｈの関係である。
【００２０】
凸部１８は、図１０に示すように化粧面４中央の水下側へ傾斜して一定ピッチで上下方向に複数個形成することにより、内部に浸入しようとする雨水、風等を図８に点線矢印で示すように外部に排出すると共に、傾斜防水片１５、凹部１６、防水空隙１７、当接片２０ａ、防水空隙２７との相乗効果により、さらに、防水性、気密性を向上するものである。
【００２１】
図では、その形成角度ｒは、ｒ＝３０°としている。また、凸部１８の形成位置は、下端部１４ａから凸部１８形成位置までの幅をｗ、図１０に示すように上端部１９ａから突出片２０の先端までの幅（切り欠き２３の幅）をＷとすると、Ｗ＞ｗの関係である。なお、図５に示すように凸部１８間の関係において、凸部１８間に垂直方向の重なりｔを設けると、さらに防水性が向上するものである。なお、凸部１８の垂直方向の重なりをＴとすると、Ｔ≧０である。
【００２２】
このように凸部１８を傾斜して形成し、同一形状の凸部１８を上下方向に複数個形成することにより、端部の成形歪みを最小限にして成型が可能である。また、歪みがないので金属製屋根材Ｂの寸法精度が向上し、さらに、寸法精度の向上により、施工性、防水性が向上するものである。
【００２３】
上連結部１９は、図８、図９、図１４（ａ）〜（ｃ）に示すように、下連結部１４上に連結されることにより、防水機能を発揮する部分である。
【００２４】
突出片２０は、図１４（ａ）に示すように、切り欠き２１を介して下連結部１４上に形成され、防水性を有する縦目地γを形成する部分であり、凸部１８、当接片２０ａにより複数の防水空隙２７を形成して防水性、気密性を向上するものである。
【００２５】
切り欠き２１は、金属製屋根材Ｂ同士を連結する際に、雌型連結部１３部分が邪魔にならないように、嵌合縁１１、固定片１２を切り欠いた空間である。勿論、切り欠き２１には断熱材Ｃと裏面材Ｄは存在しない。
【００２６】
当接片２０ａは、突出片２０と化粧面４間の縦目地γに空隙が形成されるのを防止し、防水性を向上すると共に、意匠性の向上と、端部がバタ付かないように形成するものであり、傾斜して形成することにより、スプリングバックを発揮するものである。さらに、当接片２０を形成することにより端部に風によるダウンフォースが働き、端部の密着性を向上して隙間を無くし、さらに防水性を向上するものである。
【００２７】
切り欠き２３は、屋根材Ａ同士を横方向で連結する際に、断熱材Ｃと裏面材Ｄが邪魔にならないように切り欠いた空間である。
【００２８】
水抜き孔２４は、図２、図８、図９に示すように連結した際に、縦目地γ部分から浸入した雨水が、差込縁７部分から内部に浸入しないように、下段の屋根材Ａ上の化粧面４に排水する部分である。
【００２９】
第２水抜き孔２５は、図２、図８、図９に示すように連結した際に、縦目地γ部分から浸入した雨水が、水抜き孔２４を越えて浸入しようとした際に、下段の屋根材Ａ上の化粧面４に排水する部分である。また、位置決め片２６は切り欠き２３の形成位置を特定するための部分である。勿論、位置決め片２６は屋根材Ａ製造時には、断熱材Ｃと裏面材Ｄを形成した複数枚の連続した屋根材Ａ同士を、切り離すための断熱材Ｃと裏面材Ｄの切断位置（目印）としても機能する部分である。
【００３０】
断熱材Ｃは防水材、断熱材、補強材、嵩上げ材、防音材、吸音材、緩衝材、防火材、結露防止材、等として機能するものであり、主に、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。
【００３１】
また、断熱材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００３２】
裏面材Ｄはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００３３】
パッキング材Ｅは図１３、図１４（ａ）に点線で示すように、当接片２０ａ付近の裏面に連続状に形成し、縦目地γから雨水が浸入するのを防止するものである。勿論、パッキング材Ｅは傾斜防水片１５上、あるいは下端部１４ａ側の化粧面４上に連続状に形成しても良いものである。
【００３４】
パッキング材Ｅとしては、例えば定型で弾性のあるパッキング材Ｅとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材Ｅとしてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。
【００３５】
縦目地キャップＫの化粧片Ｋ１は、図３に示すように後記する屋根材Ａの化粧面４上に形成するために、屋根材Ａの幅と同じ幅に形成するものである。
【００３６】
差込片Ｋ２は、図３に示すように屋根材Ａの嵌合溝１０内に挿入され、縦目地キャップＫの上端縁を固定する部分である。
【００３７】
突出片Ｋ４は、図３〜図５（ａ）、（ｂ）に示すように、一方の舌片Ｋ３をさらに延長し、図では化粧Ｋ１の中央部分よりより長く形成し、図１（ｂ）に示すように屋根材Ａの縦目地γ部分の隙間に挿入して形成することにより、挿入片Ｋ６の屋根材Ａの雄型連結部９への嵌合と、差込片Ｋ２の屋根材Ａの嵌合溝１０への挿入との３重の係合となり、防水性を向上するものである。また、突出片Ｋ４は、屋内側に傾斜して突出させることにより縦目地γへの挿入を容易にし、さらに施工性の向上を図るものである。
【００３８】
挿入溝Ｋ７は、図２に示すように屋根材Ａの雄型連結部９部分をカバーするように形成され、縦目地キャップＫの下端縁を固定する部分である。
【００３９】
そこで、本発明に係る縦目地構造の施工方法について説明する。そこで、図７（ａ）〜（ｃ）に示すような屋根材Ａを、図１（ｂ）、図２、図１６（ａ）〜（ｃ）〜図１８に示すように施工するとする。
【００４０】
まず、図７（ａ）〜（ｃ）に示すように下段の屋根材Ａ上に上段の屋根材Ａを施工した図１６（ａ）、図１７（ａ）の左の屋根材Ａ１の下連結部１４上に、図１６（ｂ）、図１７（ｂ）に示すように右の屋根材Ａ２の上連結部１９を重ね合わせる。
【００４１】
その後、図１６（ｂ）、図１７（ｂ）に矢印で示すように右の屋根材Ａを押し込むように差し込んで施工し、屋根材Ａ２の固定片１２を図２に示すように釘等の固定具βにより下地αに固定し、図１７（ｃ）に示すように施工するものである。この工程を、右方向、上方向に順次行うことにより、図１８に示すように施工するものである。勿論、右の屋根材Ａ２を斜め方向に押し込むように差し込んで施工することも可能である。
【００４２】
その後、屋根材Ａ同士の縦目地γ上に、図１（ｂ）、図２、図３に示すように、縦目地キャップＫの差込片Ｋ２を屋根材Ａの嵌合溝１０へ、挿入溝Ｋ７を屋根材Ａの雄型連結部９に挿入・嵌合すると共に、突出片Ｋ４を縦目地γ間の隙間に挿入することにより縦目地キャップＫを施工し、施工を完了するものである。勿論、縦目地γ上にはパッキング材Ｅを形成した後に、縦目地キャップＫを施工することも出来るものである。勿論、縦目地キャップＫの必要な縦目地γ部分にのみ形成することも出来るものである。
【００４３】
以上説明したのは本発明に係る縦目地キャップの一実施例に過ぎず、図１９（ａ）〜（ｆ）、図２０（ａ）、（ｂ）に示すように形成することが出来る。
【００４４】
すなわち、図１９（ａ）〜（ｆ）は縦目地キャップＫのその他の実施例を示す斜視図であり、（ａ）、（ｄ）図は端部にパッキング材Ｅを形成し、防水性をさらに向上した縦目地キャップＫ、（ｂ）、（ｅ）図は両端に突出片Ｋ４を形成した縦目地キャップＫ、（ｃ）、（ｆ）図は間隔を有して突出片Ｋ４を形成した縦目地キャップＫである。
【００４５】
図２０（ａ）、（ｂ）図は端部にパッキング材Ｅを形成し、防水性をさらに向上した縦目地キャップＫである。
【符号の説明】
【００４６】
α下地
β固定具
γ縦目地
γ１横目地
Ａ屋根材
Ａ１屋根材
Ａ２屋根材
Ｂ金属製屋根材
Ｃ断熱材
Ｄ裏面材
Ｅパッキング材
Ｈ家屋
Ｋ縦目地キャップ
Ｋ１化粧片
Ｋ２差込片
Ｋ３舌片
Ｋ４突出片
Ｋ５段差片
Ｋ６挿入片
Ｋ７挿入溝
Ｋ８傾斜片
Ｍ窓
Ｙ屋根
１垂木
２野地板
３防水シート
４化粧面
５裏面
６段差化粧面
７差込縁
８引っ掛け溝
９雄型連結部
１０嵌合溝
１１嵌合縁
１２固定片
１３雌型連結部
１４下連結部
１４ａ下端部
１５傾斜防水片
１５ａ水平片
１５ｂ傾斜片
１６凹部
１７防水空隙
１８凸部
１９上連結部
１９ａ上端部
２０突出片
２０ａ当接片
２１切り欠き
２２舌片
２３切り欠き
２４水抜き孔
２５第２水抜き孔
２６位置決め片
２７防水空隙
【図１】
2013204354.tif 000003
【図２】
2013204354.tif 000004
【図３】
2013204354.tif 000005
【図４】
2013204354.tif 000006
【図５】
2013204354.tif 000007
【図６】
2013204354.tif 000008
【図７】
2013204354.tif 000009
【図８】
2013204354.tif 000010
【図９】
2013204354.tif 000011
【図１０】
2013204354.tif 000012
【図１１】
2013204354.tif 000013
【図１２】
2013204354.tif 000014
【図１３】
2013204354.tif 000015
【図１４】
2013204354.tif 000016
【図１５】
2013204354.tif 000017
【図１６】
2013204354.tif 000018
【図１７】
2013204354.tif 000019
【図１８】
2013204354.tif 000020
【図１９】
2013204354.tif 000021
【図２０】
2013204354.tif 000022